(57)【要約】【課題】本発明はメカロックを開示した。【解決手段】ドア枠とドアを含み、前記ドアには引摺機構と押圧機構とが設けられ、前記ドア枠には片側に開口したロック溝が設けられ、前記ドアには片側に開口したバネ溝が設けられ、前記バネ溝の片側端壁には復帰バネが固定的に設けられ、前記復帰バネの一端にはロックブロックが設けられ、ドアロックの作動に影響を及ぼさないことを前提とし、鍵を使わずに開扉し、且つ使用者の需要に応じてリフトブロックの位置を設定できるため、ドアロックの安全性を向上させ、錠をこじ開けずに済ませ、ロックの安全性を確保すると同時にアンロックが便利になる。【選択図】図１
2020180534.tif 000002
【特許請求の範囲】
【請求項１】
正面視で、ドア枠とドアを含み、前記ドアには引摺機構と押圧機構とが設けられ、前記ドア枠には片側に開口したロック溝が設けられ、前記ドアには片側に開口したバネ溝が設けられ、前記バネ溝の片側端壁には復帰バネが固定的に設けられ、前記復帰バネの一端にはロックブロックが設けられ、前記ロックブロックの一端が前記ロック溝の中に位置し、前記引摺機構が昇降チャンバを含み、前記昇降チャンバの片側端壁の中にはリフトチャンバが設置され、前記昇降チャンバの中には昇降ブロックが設けられ、前記リフトチャンバと前記昇降チャンバとが連通し、前記昇降チャンバの中には前記昇降ブロックの前後両側に位置する二つの移動ブロックが設けられ、前記昇降ブロックと前記移動ブロックの下端面にはいずれも二つの昇降バネが設けられ、前記昇降バネの下端と前記昇降チャンバの端壁とが固定的に連結され、前記リフトチャンバの中にはリフトブロックが設置され、前記押圧機構が回転軸を含み、前記昇降チャンバの上端壁にはサポートロッドが固定的に設けられ、前記回転軸が前記サポートロッドを貫通し、且つ前端が外部空間に位置し、前記回転軸の後端には後端が外部空間の中に位置する旋転軸がスライドできるように連結されることを特徴とするメカロック。
【請求項２】
前記引摺機構はまたサポートバネを含み、前記昇降ブロックの一端には第一電磁石が固定的に設けられ、前記移動ブロックの中には移動溝が設けられ、前記移動溝の中には梯形ロッドがスライドできるように連結され、前記梯形ロッドの一端には第二梯形ブロックが固定的に設置され、前記梯形ロッドのもう一端には移動バネが固定的に設けられ、前記移動バネの一端が前記移動溝の端壁と固定的に連結され、前記移動ブロックの中には前記移動溝を貫通し、且つ前記昇降チャンバと連通する移動穴が設けられ、前記移動穴の中には上端が前記昇降チャンバの中に位置する梯形ブロックが設けられ、前記梯形ブロックの上端には移動板が固定的に設置され、前記移動板の下端面には下端が前記移動ブロックと固定的に連結される前記サポートバネが固定的に設置され、
前記リフトブロックの中にはスライドチャンバが設けられ、前記スライドチャンバの上端壁には下に開口したバネチャンバが設けられ、前記バネチャンバの片側端壁には連結バネが固定的に設置され、前記連結バネの一端にはバネブロックが固定的に設置され、前記バネブロックの下端において前記スライドチャンバの中にはスライドブロックが固定的に設置され、前記スライドブロックの一端にはロープが固定的に設置され、前記ロープの一端が前記バネ溝の片側端壁を貫通し、且つ前記ロックブロックと固定的に連結され、前記リフトブロックの下端面には一端が前記昇降チャンバの中に位置するサポート板が固定的に設置され、前記リフトチャンバの片側端壁には電磁板が固定的に設置されることを特徴とする請求項１に記載のメカロック。
【請求項３】
前記押圧機構はまたハンドルを含み、前記旋転軸の後端と前記回転軸の前端にはいずれも前記ハンドルが固定的に設置され、前記昇降チャンバにおける前記回転軸の前端には前記回転軸に貫通されるロック軸がスライドできるように連結され、前記ロック軸には旋転歯車が固定的に設置され、前記旋転歯車の上端には回転歯車が噛み合って連結され、前記回転歯車の中心には前端が外部空間の中に位置する駆動軸が固定的に設置され、前記回転軸と、前記旋転軸の前端と前記ロック軸の後端にはプッシュロッドが固定的に設置されることを特徴とする請求項１に記載のメカロック。
【発明の詳細な説明】
【技術分野】
【０００１】
本発明はロック工具に関し、具体的にはメカロックである。
【背景技術】
【０００２】
現在に、家庭安全のための防御ラインの第一線として、ドアロックはかなり重視を受けており、しかし、鍵を落としてしまうと、家に入れない面倒な状況になり、その対策として、大多数の人が直接にドアロックを破壊する方法を選び、ドアロックだけでなく、ドア自体にもダメージをもたらし、損傷程度を高める。
【先行技術文献】
【特許文献】
【０００３】
【特許文献１】中国特許出願公開第105178732号明細書
【発明の概要】
【発明が解決しようとする課題】
【０００４】
本発明の目的はメカロックを提供し、それは上記の現在の技術中の問題を解決できる。
【課題を解決するための手段】
【０００５】
上記の課題を解決するため、本発明は以下の技術プランを採用する：ドア枠とドアを含み、前記ドアには引摺機構と押圧機構とが設けられ、前記ドア枠には片側に開口したロック溝が設けられ、前記ドアには片側に開口したバネ溝が設けられ、前記バネ溝の片側端壁には復帰バネが固定的に設けられ、前記復帰バネの一端にはロックブロックが設けられ、前記ロックブロックの一端が前記ロック溝の中に位置し、前記引摺機構が昇降チャンバを含み、前記昇降チャンバの片側端壁の中にはリフトチャンバが設置され、前記昇降チャンバの中には昇降ブロックが設けられ、前記リフトチャンバと前記昇降チャンバとが連通し、前記昇降チャンバの中には前記昇降ブロックの前後両側に位置する二つの移動ブロックが設けられ、前記昇降ブロックと前記移動ブロックの下端面にはいずれも二つの昇降バネが設けられ、前記昇降バネの下端と前記昇降チャンバの端壁とが固定的に連結され、前記リフトチャンバの中にはリフトブロックが設置され、前記押圧機構が回転軸を含み、前記昇降チャンバの上端壁にはサポートロッドが固定的に設けられ、前記回転軸が前記サポートロッドを貫通し、且つ前端が外部空間に位置し、前記回転軸の後端には後端が外部空間の中に位置する旋転軸がスライドできるように連結される。
【０００６】
優選的には、前記引摺機構はまたサポートバネを含み、前記昇降ブロックの一端には第一電磁石が固定的に設けられ、前記移動ブロックの中には移動溝が設けられ、前記移動溝の中には梯形ロッドがスライドできるように連結され、前記梯形ロッドの一端には第二梯形ブロックが固定的に設置され、前記梯形ロッドのもう一端には移動バネが固定的に設けられ、前記移動バネの一端が前記移動溝の端壁と固定的に連結され、前記移動ブロックの中には前記移動溝を貫通し、且つ前記昇降チャンバと連通する移動穴が設けられ、前記移動穴の中には上端が前記昇降チャンバの中に位置する梯形ブロックが設けられ、前記梯形ブロックの上端には移動板が固定的に設置され、前記移動板の下端面には下端が前記移動ブロックと固定的に連結される前記サポートバネが固定的に設置され、
前記リフトブロックの中にはスライドチャンバが設けられ、前記スライドチャンバの上端壁には下に開口したバネチャンバが設けられ、前記バネチャンバの片側端壁には連結バネが固定的に設置され、前記連結バネの一端にはバネブロックが固定的に設置され、前記バネブロックの下端において前記スライドチャンバの中にはスライドブロックが固定的に設置され、前記スライドブロックの一端にはロープが固定的に設置され、前記ロープの一端が前記バネ溝の片側端壁を貫通し、且つ前記ロックブロックと固定的に連結され、前記リフトブロックの下端面には一端が前記昇降チャンバの中に位置するサポート板が固定的に設置され、前記リフトチャンバの片側端壁には電磁板が固定的に設置される。
【０００７】
優選的には、前記押圧機構はまたハンドルを含み、前記旋転軸の後端と前記回転軸の前端にはいずれも前記ハンドルが固定的に設置され、前記昇降チャンバにおける前記回転軸の前端には前記回転軸に貫通されるロック軸がスライドできるように連結され、前記ロック軸には旋転歯車が固定的に設置され、前記旋転歯車の上端には回転歯車が噛み合って連結され、前記回転歯車の中心には前端が外部空間の中に位置する駆動軸が固定的に設置され、前記回転軸と、前記旋転軸の前端と前記ロック軸の後端にはプッシュロッドが固定的に設置される。
【発明の効果】
【０００８】
本発明の有益効果は：本装置は構造が簡単で、操作が便利で、ドアロックの作動に影響を及ぼさないことを前提とし、鍵を使わずに開扉し、且つ使用者の需要に応じてリフトブロックの位置を設定できるため、ドアロックの安全性を向上させ、錠をこじ開けずに済ませ、ロックの安全性を確保すると同時にアンロックが便利になる。
【図面の簡単な説明】
【０００９】
下記に図１〜３をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明のメカロックの全体断面正面構造略図
【図２】図２は本発明のメカロックの全体断面の左面構造略図
【図３】図２は本発明のメカロックの移動ブロックの全体断面の正面拡大構造略図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
図１〜３を参照し、本発明のメカロックは、ドア枠１とドア８を含み、前記ドア８には引摺機構４１と押圧機構４２とが設けられ、前記ドア枠１には片側に開口したロック溝４が設けられ、前記ドア８には片側に開口したバネ溝４４が設けられ、前記バネ溝４４の片側端壁には復帰バネ５が固定的に設けられ、前記復帰バネ５の一端にはロックブロック３が設けられ、前記ロックブロック３の一端が前記ロック溝４の中に位置し、前記引摺機構４１が昇降チャンバ１２を含み、前記昇降チャンバ１２の片側端壁の中にはリフトチャンバ２３が設置され、前記昇降チャンバ１２の中には昇降ブロック１３が設けられ、前記リフトチャンバ２３と前記昇降チャンバ１２とが連通し、前記昇降チャンバ１２の中には前記昇降ブロック１３の前後両側に位置する二つの移動ブロック２７が設けられ、前記昇降ブロック１３と前記移動ブロック２７の下端面にはいずれも二つの昇降バネ６が設けられ、前記昇降バネ６の下端と前記昇降チャンバ１２の端壁とが固定的に連結され、前記リフトチャンバ２３の中にはリフトブロック１８が設置され、前記押圧機構４１が回転軸３２を含み、前記昇降チャンバ１２の上端壁にはサポートロッド３３が固定的に設けられ、前記回転軸３２が前記サポートロッド３３を貫通し、且つ前端が外部空間に位置し、前記回転軸３２の後端には後端が外部空間の中に位置する旋転軸２５がスライドできるように連結される。
【００１３】
有益的には、前記引摺機構４１はまたサポートバネ３８を含み、前記昇降ブロック１３の一端には第一電磁石１４が固定的に設けられ、前記移動ブロック２７の中には移動溝２８が設けられ、前記移動溝２８の中には梯形ロッド２９がスライドできるように連結され、前記梯形ロッド２９の一端には第二梯形ブロック４０が固定的に設置され、前記梯形ロッド２９のもう一端には移動バネ３９が固定的に設けられ、前記移動バネ３９の一端が前記移動溝２８の端壁と固定的に連結され、前記移動ブロック２７の中には前記移動溝２８を貫通し、且つ前記昇降チャンバ１２と連通する移動穴３０が設けられ、前記移動穴３０の中には上端が前記昇降チャンバ１２の中に位置する梯形ブロック３７が設けられ、前記梯形ブロック３７の上端には移動板２６が固定的に設置され、前記移動板２６の下端面には下端が前記移動ブロック２７と固定的に連結される前記サポートバネ３８が固定的に設置され、
前記リフトブロック１８の中にはスライドチャンバ４６が設けられ、前記スライドチャンバ４６の上端壁には下に開口したバネチャンバ１７が設けられ、前記バネチャンバ１７の片側端壁には連結バネ１５が固定的に設置され、前記連結バネ１５の一端にはバネブロック１６が固定的に設置され、前記バネブロック１６の下端において前記スライドチャンバ４６の中にはスライドブロック１９が固定的に設置され、前記スライドブロック１９の一端にはロープ２０が固定的に設置され、前記ロープ２０の一端が前記バネ溝４４の片側端壁を貫通し、且つ前記ロックブロック３と固定的に連結され、前記リフトブロック１８の下端面には一端が前記昇降チャンバ１２の中に位置するサポート板２１が固定的に設置され、前記リフトチャンバ２３の片側端壁には電磁板２２が固定的に設置される。
【００１４】
有益的には、前記押圧機構４１はまたハンドル２４を含み、前記旋転軸２５の後端と前記回転軸３２の前端にはいずれも前記ハンドル２４が固定的に設置され、前記昇降チャンバ１２における前記回転軸３２の前端には前記回転軸３２に貫通されるロック軸４５がスライドできるように連結され、前記ロック軸４５には旋転歯車３４が固定的に設置され、前記旋転歯車３４の上端には回転歯車３５が噛み合って連結され、前記回転歯車３５の中心には前端が外部空間の中に位置する駆動軸３６が固定的に設置され、前記回転軸３２と、前記旋転軸２５の前端と前記ロック軸４５の後端にはプッシュロッド１１が固定的に設置される。
【００１５】
下記に、付図１〜３及び上記の本願発明のメカロックの具体的な構成を参照し、本願発明のメカロックの使用方法を詳しく紹介する：まず、初期状態にある時、前記連結バネ１５が引張状態にあり、他のバネがいずれも通常状態にある。
【００１６】
前記リフトブロック２８を上下に調整し、これにより前記電磁板２２の作用で相対的に固定でき、鍵で前記駆動軸３６を回し、これにより前記回転歯車３５と、前記旋転歯車３４と前記ロック軸４５を回転させ、これにより前側の前記プッシュロッド１１を回転させ、これにより前記移動板２６と前記梯形ブロック３７を下降させ、これにより前記移動ブロック２７を下降させ、前記移動ブロック２７が前記サポート板２１と接触する時、前記移動溝２８が前記スライドチャンバ４６と相対し、前記梯形ブロック３７が継続して下降し、前記移動ブロック２７が下降を停止し、これにより前記梯形ロッド２９が片側に向かって運動し、前記移動バネ３９が引っ張り、これにより前記第二電磁石４０が前記スライドブロック１９と相対するように固定的に連結され、前記駆動軸３６が復帰して上記の運動を復帰連動させ、これにより前記梯形ロッド２９が前記移動バネ３９の作用で復帰する時、前記スライドブロック１９が連動して運動し、これによりロープ２０を引き動かし、これにより前記ロックブロック３が前記ロック溝４から離れ、これによりドアを開け、前記第二電磁石４０が前記移動溝２８の中に位置するようになった後に前記昇降バネ６の作用で前記移動ブロック２７を復帰連動させ、これによりロックブロック３を前記復帰バネ５の作用で復帰させ、これにより前記スライドブロック１９を運動させ、前記連結バネ２５が再び引っ張り、前記旋転軸２５を回し、上記の手順に従って作動し、開扉を完成する。
【００１７】
鍵を持ち忘れると、前記リフトブロック１８の位置を記憶することによって、前記回転軸３２を回し、これにより中間の前記プッシュロッド１１を回転させ、これにより前記昇降ブロック１３を下降連動させ、前記第一電磁石１４と前記スライドブロック１９とが相対する時、前記昇降ブロック１３を動かないまま吊り、前記第一電磁石１４の作用で、前記スライドブロック１９がおもむろに運動し、前記ロープ２０を通じて前記ロックブロック３を前記ロック溝４から離すまで前記スライドブロック１９が運動し、これにより開扉を完成し、前記回転軸３２を復帰させた後、装置がバネの作用によって復帰する。
【００１８】
本発明の有益効果は：本装置は構造が簡単で、操作が便利で、ドアロックの作動に影響を及ぼさないことを前提とし、鍵を使わずに開扉し、且つ使用者の需要に応じてリフトブロックの位置を設定できるため、ドアロックの安全性を向上させ、錠をこじ開けずに済ませ、ロックの安全性を確保すると同時にアンロックが便利になる。
【００１９】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020180534.tif 000003
【図２】
2020180534.tif 000004
【図３】
2020180534.tif 000005
【手続補正書】
【提出日】令和1年7月26日(2019.7.26)
【手続補正１】
【補正対象書類名】特許請求の範囲
【補正対象項目名】全文
【補正方法】変更
【補正の内容】
【特許請求の範囲】
【請求項１】
正面視で、ドア枠とドアを含み、前記ドアには引摺機構と押圧機構とが設けられ、前記ドア枠には片側に開口したロック溝が設けられ、前記ドアには片側に開口したバネ溝が設けられ、前記バネ溝の片側端壁には復帰バネが固定的に設けられ、前記復帰バネの一端にはロックブロックが設けられ、前記ロックブロックの一端が前記ロック溝の中に位置し、前記引摺機構が昇降チャンバを含み、前記昇降チャンバの片側端壁の中にはリフトチャンバが設置され、前記昇降チャンバの中には昇降ブロックが設けられ、前記リフトチャンバと前記昇降チャンバとが連通し、前記昇降チャンバの中には前記昇降ブロックの前後両側に位置する二つの移動ブロックが設けられ、前記昇降ブロックと前記移動ブロックの下端面にはいずれも二つの昇降バネが設けられ、前記昇降バネの下端と前記昇降チャンバの端壁とが固定的に連結され、前記リフトチャンバの中にはリフトブロックが設置され、前記押圧機構が回転軸を含み、前記昇降チャンバの上端壁にはサポートロッドが固定的に設けられ、前記回転軸が前記サポートロッドを貫通し、且つ前端が外部空間に位置し、前記回転軸の後端には後端が外部空間の中に位置する旋転軸がスライドできるように連結されることを特徴とするメカロック。
【請求項２】
前記引摺機構はまたサポートバネを含み、前記昇降ブロックの一端には第一電磁石が固定的に設けられ、前記移動ブロックの中には移動溝が設けられ、前記移動溝の中には梯形ロッドがスライドできるように連結され、前記梯形ロッドの一端には第二梯形ブロックが固定的に設置され、前記梯形ロッドのもう一端には移動バネが固定的に設けられ、前記移動バネの一端が前記移動溝の端壁と固定的に連結され、前記移動ブロックの中には前記移動溝を貫通し、且つ前記昇降チャンバと連通する移動穴が設けられ、前記移動穴の中には上端が前記昇降チャンバの中に位置する梯形ブロックが設けられ、前記梯形ブロックの上端には移動板が固定的に設置され、前記移動板の下端面には下端が前記移動ブロックと固定的に連結される前記サポートバネが固定的に設置され、
前記リフトブロックの中にはスライドチャンバが設けられ、前記スライドチャンバの上端壁には下に開口したバネチャンバが設けられ、前記バネチャンバの片側端壁には連結バネが固定的に設置され、前記連結バネの一端にはバネブロックが固定的に設置され、前記バネブロックの下端において前記スライドチャンバの中にはスライドブロックが固定的に設置され、前記スライドブロックの一端にはロープが固定的に設置され、前記ロープの一端が前記バネ溝の片側端壁を貫通し、且つ前記ロックブロックと固定的に連結され、前記リフトブロックの下端面には一端が前記昇降チャンバの中に位置するサポート板が固定的に設置され、前記リフトチャンバの片側端壁には磁力板が固定的に設置されることを特徴とする請求項１に記載のメカロック。
【請求項３】
前記押圧機構はまたハンドルを含み、前記旋転軸の後端と前記回転軸の前端にはいずれも前記ハンドルが固定的に設置され、前記昇降チャンバにおける前記回転軸の前端には前記回転軸に貫通されるロック軸がスライドできるように連結され、前記ロック軸には旋転歯車が固定的に設置され、前記旋転歯車の上端には回転歯車が噛み合って連結され、前記回転歯車の中心には前端が外部空間の中に位置する駆動軸が固定的に設置され、前記回転軸と、前記旋転軸の前端と前記ロック軸の後端にはプッシュロッドが固定的に設置されることを特徴とする請求項１に記載のメカロック。
【手続補正２】
【補正対象書類名】明細書
【補正対象項目名】全文
【補正方法】変更
【補正の内容】
【発明の詳細な説明】
【技術分野】
【０００１】
本発明はロック工具に関し、具体的にはメカロックである。
【背景技術】
【０００２】
現在に、家庭安全のための防御ラインの第一線として、ドアロックはかなり重視を受けており、しかし、鍵を落としてしまうと、家に入れない面倒な状況になり、その対策として、大多数の人が直接にドアロックを破壊する方法を選び、ドアロックだけでなく、ドア自体にもダメージをもたらし、損傷程度を高める。
【先行技術文献】
【特許文献】
【０００３】
【特許文献１】中国特許出願公開第１０５１７８７３２号明細書
【発明の概要】
【発明が解決しようとする課題】
【０００４】
本発明の目的はメカロックを提供し、それは上記の現在の技術中の問題を解決できる。
【課題を解決するための手段】
【０００５】
上記の課題を解決するため、本発明は以下の技術プランを採用する：ドア枠とドアを含み、前記ドアには引摺機構と押圧機構とが設けられ、前記ドア枠には片側に開口したロック溝が設けられ、前記ドアには片側に開口したバネ溝が設けられ、前記バネ溝の片側端壁には復帰バネが固定的に設けられ、前記復帰バネの一端にはロックブロックが設けられ、前記ロックブロックの一端が前記ロック溝の中に位置し、前記引摺機構が昇降チャンバを含み、前記昇降チャンバの片側端壁の中にはリフトチャンバが設置され、前記昇降チャンバの中には昇降ブロックが設けられ、前記リフトチャンバと前記昇降チャンバとが連通し、前記昇降チャンバの中には前記昇降ブロックの前後両側に位置する二つの移動ブロックが設けられ、前記昇降ブロックと前記移動ブロックの下端面にはいずれも二つの昇降バネが設けられ、前記昇降バネの下端と前記昇降チャンバの端壁とが固定的に連結され、前記リフトチャンバの中にはリフトブロックが設置され、前記押圧機構が回転軸を含み、前記昇降チャンバの上端壁にはサポートロッドが固定的に設けられ、前記回転軸が前記サポートロッドを貫通し、且つ前端が外部空間に位置し、前記回転軸の後端には後端が外部空間の中に位置する旋転軸がスライドできるように連結される。
【０００６】
優選的には、前記引摺機構はまたサポートバネを含み、前記昇降ブロックの一端には第一電磁石が固定的に設けられ、前記移動ブロックの中には移動溝が設けられ、前記移動溝の中には梯形ロッドがスライドできるように連結され、前記梯形ロッドの一端には第二梯形ブロックが固定的に設置され、前記梯形ロッドのもう一端には移動バネが固定的に設けられ、前記移動バネの一端が前記移動溝の端壁と固定的に連結され、前記移動ブロックの中には前記移動溝を貫通し、且つ前記昇降チャンバと連通する移動穴が設けられ、前記移動穴の中には上端が前記昇降チャンバの中に位置する梯形ブロックが設けられ、前記梯形ブロックの上端には移動板が固定的に設置され、前記移動板の下端面には下端が前記移動ブロックと固定的に連結される前記サポートバネが固定的に設置され、
前記リフトブロックの中にはスライドチャンバが設けられ、前記スライドチャンバの上端壁には下に開口したバネチャンバが設けられ、前記バネチャンバの片側端壁には連結バネが固定的に設置され、前記連結バネの一端にはバネブロックが固定的に設置され、前記バネブロックの下端において前記スライドチャンバの中にはスライドブロックが固定的に設置され、前記スライドブロックの一端にはロープが固定的に設置され、前記ロープの一端が前記バネ溝の片側端壁を貫通し、且つ前記ロックブロックと固定的に連結され、前記リフトブロックの下端面には一端が前記昇降チャンバの中に位置するサポート板が固定的に設置され、前記リフトチャンバの片側端壁には磁力板が固定的に設置される。
【０００７】
優選的には、前記押圧機構はまたハンドルを含み、前記旋転軸の後端と前記回転軸の前端にはいずれも前記ハンドルが固定的に設置され、前記昇降チャンバにおける前記回転軸の前端には前記回転軸に貫通されるロック軸がスライドできるように連結され、前記ロック軸には旋転歯車が固定的に設置され、前記旋転歯車の上端には回転歯車が噛み合って連結され、前記回転歯車の中心には前端が外部空間の中に位置する駆動軸が固定的に設置され、前記回転軸と、前記旋転軸の前端と前記ロック軸の後端にはプッシュロッドが固定的に設置される。
【発明の効果】
【０００８】
本発明の有益効果は：本装置は構造が簡単で、操作が便利で、ドアロックの作動に影響を及ぼさないことを前提とし、ドアロックの安全性を向上させ、錠をこじ開けずに済ませ、ロックの安全性を確保すると同時にアンロックが便利になる。
【図面の簡単な説明】
【０００９】
下記に図１〜３をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明のメカロックの全体断面正面構造略図
【図２】図２は本発明のメカロックの全体断面の左面構造略図
【図３】図２は本発明のメカロックの移動ブロックの全体断面の正面拡大構造略図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
図１〜３を参照し、本発明のメカロックは、ドア枠１とドア８を含み、前記ドア８には引摺機構４１と押圧機構４１とが設けられ、前記ドア枠１には片側に開口したロック溝４が設けられ、前記ドア８には片側に開口したバネ溝４４が設けられ、前記バネ溝４４の片側端壁には復帰バネ５が固定的に設けられ、前記復帰バネ５の一端にはロックブロック３が設けられ、前記ロックブロック３の一端が前記ロック溝４の中に位置し、前記引摺機構４１が昇降チャンバ１２を含み、前記昇降チャンバ１２の片側端壁の中にはリフトチャンバ２３が設置され、前記昇降チャンバ１２の中には昇降ブロック１３が設けられ、前記リフトチャンバ２３と前記昇降チャンバ１２とが連通し、前記昇降チャンバ１２の中には前記昇降ブロック１３の前後両側に位置する二つの移動ブロック２７が設けられ、前記昇降ブロック１３と前記移動ブロック２７の下端面にはいずれも二つの昇降バネ６が設けられ、前記昇降バネ６の下端と前記昇降チャンバ１２の端壁とが固定的に連結され、前記リフトチャンバ２３の中にはリフトブロック１８が設置され、前記押圧機構４１が回転軸３２を含み、前記昇降チャンバ１２の上端壁にはサポートロッド３３が固定的に設けられ、前記回転軸３２が前記サポートロッド３３を貫通し、且つ前端が外部空間に位置し、前記回転軸３２の後端には後端が外部空間の中に位置する旋転軸２５がスライドできるように連結される。
【００１３】
有益的には、前記引摺機構４１はまたサポートバネ３８を含み、前記昇降ブロック１３の一端には第一電磁石１４が固定的に設けられ、前記移動ブロック２７の中には移動溝２８が設けられ、前記移動溝２８の中には梯形ロッド２９がスライドできるように連結され、前記梯形ロッド２９の一端には第二梯形ブロック４０が固定的に設置され、前記梯形ロッド２９のもう一端には移動バネ３９が固定的に設けられ、前記移動バネ３９の一端が前記移動溝２８の端壁と固定的に連結され、前記移動ブロック２７の中には前記移動溝２８を貫通し、且つ前記昇降チャンバ１２と連通する移動穴３０が設けられ、前記移動穴３０の中には上端が前記昇降チャンバ１２の中に位置する梯形ブロック３７が設けられ、前記梯形ブロック３７の上端には移動板２６が固定的に設置され、前記移動板２６の下端面には下端が前記移動ブロック２７と固定的に連結される前記サポートバネ３８が固定的に設置され、
前記リフトブロック１８の中にはスライドチャンバ４６が設けられ、前記スライドチャンバ４６の上端壁には下に開口したバネチャンバ１７が設けられ、前記バネチャンバ１７の片側端壁には連結バネ１５が固定的に設置され、前記連結バネ１５の一端にはバネブロック１６が固定的に設置され、前記バネブロック１６の下端において前記スライドチャンバ４６の中にはスライドブロック１９が固定的に設置され、前記スライドブロック１９の一端にはロープ２０が固定的に設置され、前記ロープ２０の一端が前記バネ溝４４の片側端壁を貫通し、且つ前記ロックブロック３と固定的に連結され、前記リフトブロック１８の下端面には一端が前記昇降チャンバ１２の中に位置するサポート板２１が固定的に設置され、前記リフトチャンバ２３の片側端壁には磁力板２２が固定的に設置される。
【００１４】
有益的には、前記押圧機構４１はまたハンドル２４を含み、前記旋転軸２５の後端と前記回転軸３２の前端にはいずれも前記ハンドル２４が固定的に設置され、前記昇降チャンバ１２における前記回転軸３２の前端には前記回転軸３２に貫通されるロック軸４５がスライドできるように連結され、前記ロック軸４５には旋転歯車３４が固定的に設置され、前記旋転歯車３４の上端には回転歯車３５が噛み合って連結され、前記回転歯車３５の中心には前端が外部空間の中に位置する駆動軸３６が固定的に設置され、前記回転軸３２と、前記旋転軸２５の前端と前記ロック軸４５の後端にはプッシュロッド１１が固定的に設置される。
【００１５】
下記に、付図１〜３及び上記の本願発明のメカロックの具体的な構成を参照し、本願発明のメカロックの使用方法を詳しく紹介する：まず、初期状態にある時、前記連結バネ１５が引張状態にあり、他のバネがいずれも通常状態にある。
【００１６】
前記リフトブロック１８を上下に調整し、これにより前記磁力板２２の作用で相対的に固定でき、鍵で前記駆動軸３６を回し、これにより前記回転歯車３５と、前記旋転歯車３４と前記ロック軸４５を回転させ、これにより前記ロック軸４５に固定的に設置された前記プッシュロッド１１を回転させ、これにより前記移動板２６と前記梯形ブロック３７を下降させ、これにより前記移動ブロック２７を下降させ、前記移動ブロック２７が前記サポート板２１と接触する時、前記移動溝２８が前記スライドチャンバ４６と相対し、前記梯形ブロック３７が継続して下降し、前記移動ブロック２７が下降を停止し、これにより前記梯形ロッド２９が片側に向かって運動し、前記移動バネ３９が引っ張り、これにより前記第二梯形ブロック４０が前記スライドブロック１９と相対するように固定的に連結され、前記駆動軸３６が復帰して上記の運動を復帰連動させ、これにより前記梯形ロッド２９が前記移動バネ３９の作用で復帰する時、前記スライドブロック１９が連動して運動し、これによりロープ２０を引き動かし、これにより前記ロックブロック３が前記ロック溝４から離れ、前記第二梯形ブロック４０が前記移動溝２８の中まで移動し、また前記昇降バネ６を通して前記移動ブロック２７を押して復帰させるとき、前記ロックブロック３が前記復帰バネ５の作用により復帰する。
【００１７】
鍵を持ち忘れると、前記リフトブロック１８の位置を記憶することによって、前記回転軸３２を回し、これにより中間の前記プッシュロッド１１を回転させ、これにより前記昇降ブロック１３を下降連動させ、前記第一電磁石１４と前記スライドブロック１９とが相対する時、前記昇降ブロック１３を動かないまま吊り、前記第一電磁石１４の作用で、前記スライドブロック１９がおもむろに運動し、前記ロープ２０を通じて前記ロックブロック３を前記ロック溝４から離すまで前記スライドブロック１９が運動し、これにより開扉を完成し、前記回転軸３２を復帰させた後、装置がバネの作用によって復帰する。
【００１８】
本発明の有益効果は：本装置は構造が簡単で、操作が便利で、ドアロックの作動に影響を及ぼさないことを前提とし、ドアロックの安全性を向上させ、錠をこじ開けずに済ませ、ロックの安全性を確保すると同時にアンロックが便利になる。
【００１９】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【手続補正３】
【補正対象書類名】図面
【補正対象項目名】図１
【補正方法】変更
【補正の内容】
【図１】
2020180534.tif 000006
【手続補正書】
【提出日】令和2年1月3日(2020.1.3)
【手続補正１】
【補正対象書類名】特許請求の範囲
【補正対象項目名】全文
【補正方法】変更
【補正の内容】
【特許請求の範囲】
【請求項１】
正面視で、ドア枠とドアを含み、前記ドアには引摺機構と押圧機構とが設けられ、前記ドア枠には片側に開口したロック溝が設けられ、前記ドアには片側に開口したバネ溝が設けられ、前記バネ溝の片側端壁には復帰バネが固定的に設けられ、前記復帰バネの一端にはロックブロックが設けられ、前記ロックブロックの一端が前記ロック溝の中に位置し、前記引摺機構が昇降チャンバを含み、前記昇降チャンバの片側端壁の中にはリフトチャンバが設置され、前記昇降チャンバの中には昇降ブロックが設けられ、前記リフトチャンバと前記昇降チャンバとが連通し、前記昇降チャンバの中には前記昇降ブロックの前後両側に位置する二つの移動ブロックが設けられ、前記昇降ブロックと前記移動ブロックの下端面にはいずれも二つの昇降バネが設けられ、前記昇降バネの下端と前記昇降チャンバの端壁とが固定的に連結され、前記リフトチャンバの中にはリフトブロックが設置され、前記押圧機構が回転軸を含み、前記昇降チャンバの上端壁にはサポートロッドが固定的に設けられ、前記回転軸が前記サポートロッドを貫通し、且つ前端が外部空間に位置し、前記回転軸の後端には後端が外部空間の中に位置する旋転軸がスライドできるように連結され、
前記引摺機構はまたサポートバネを含み、前記昇降ブロックの一端には第一電磁石が固定的に設けられ、前記移動ブロックの中には移動溝が設けられ、前記移動溝の中には梯形ロッドがスライドできるように連結され、前記梯形ロッドの一端には第二電磁ブロックが固定的に設置され、前記梯形ロッドのもう一端には移動バネが固定的に設けられ、前記移動バネの一端が前記移動溝の端壁と固定的に連結され、前記移動ブロックの中には前記移動溝を貫通し、且つ前記昇降チャンバと連通する移動穴が設けられ、前記移動穴の中には上端が前記昇降チャンバの中に位置する梯形ブロックが設けられ、前記梯形ブロックの上端には移動板が固定的に設置され、前記移動板の下端面には下端が前記移動ブロックと固定的に連結される前記サポートバネが固定的に設置され、
前記リフトブロックの中にはスライドチャンバが設けられ、前記スライドチャンバの上端壁には下に開口したバネチャンバが設けられ、前記バネチャンバの片側端壁には連結バネが固定的に設置され、前記連結バネの一端にはバネブロックが固定的に設置され、前記バネブロックの下端において前記スライドチャンバの中にはスライドブロックが固定的に設置され、前記スライドブロックの一端にはロープが固定的に設置され、前記ロープの一端が前記バネ溝の片側端壁を貫通し、且つ前記ロックブロックと固定的に連結され、前記リフトブロックの下端面には一端が前記昇降チャンバの中に位置するサポート板が固定的に設置され、前記リフトチャンバの片側端壁には電磁板が固定的に設置されることを特徴とするメカロック。
【請求項２】
前記押圧機構はまたハンドルを含み、前記旋転軸の後端と前記回転軸の前端にはいずれも前記ハンドルが固定的に設置され、前記昇降チャンバにおける前記回転軸の前端には前記回転軸に貫通されるロック軸がスライドできるように連結され、前記ロック軸には旋転歯車が固定的に設置され、前記旋転歯車の上端には回転歯車が噛み合って連結され、前記回転歯車の中心には前端が外部空間の中に位置する駆動軸が固定的に設置され、前記回転軸と、前記旋転軸の前端と前記ロック軸の後端にはプッシュロッドが固定的に設置されることを特徴とする請求項１に記載のメカロック。
【手続補正２】
【補正対象書類名】明細書
【補正対象項目名】全文
【補正方法】変更
【補正の内容】
【発明の詳細な説明】
【技術分野】
【０００１】
本発明はロック工具に関し、具体的にはメカロックである。
【背景技術】
【０００２】
現在に、家庭安全のための防御ラインの第一線として、ドアロックはかなり重視を受けており、しかし、鍵を落としてしまうと、家に入れない面倒な状況になり、その対策として、大多数の人が直接にドアロックを破壊する方法を選び、ドアロックだけでなく、ドア自体にもダメージをもたらし、損傷程度を高める。
【先行技術文献】
【特許文献】
【０００３】
【特許文献１】中国特許出願公開第１０５１７８７３２号明細書
【発明の概要】
【発明が解決しようとする課題】
【０００４】
本発明の目的はメカロックを提供し、それは上記の現在の技術中の問題を解決できる。
【課題を解決するための手段】
【０００５】
上記の課題を解決するため、本発明は以下の技術プランを採用する：ドア枠とドアを含み、前記ドアには引摺機構と押圧機構とが設けられ、前記ドア枠には片側に開口したロック溝が設けられ、前記ドアには片側に開口したバネ溝が設けられ、前記バネ溝の片側端壁には復帰バネが固定的に設けられ、前記復帰バネの一端にはロックブロックが設けられ、前記ロックブロックの一端が前記ロック溝の中に位置し、前記引摺機構が昇降チャンバを含み、前記昇降チャンバの片側端壁の中にはリフトチャンバが設置され、前記昇降チャンバの中には昇降ブロックが設けられ、前記リフトチャンバと前記昇降チャンバとが連通し、前記昇降チャンバの中には前記昇降ブロックの前後両側に位置する二つの移動ブロックが設けられ、前記昇降ブロックと前記移動ブロックの下端面にはいずれも二つの昇降バネが設けられ、前記昇降バネの下端と前記昇降チャンバの端壁とが固定的に連結され、前記リフトチャンバの中にはリフトブロックが設置され、前記押圧機構が回転軸を含み、前記昇降チャンバの上端壁にはサポートロッドが固定的に設けられ、前記回転軸が前記サポートロッドを貫通し、且つ前端が外部空間に位置し、前記回転軸の後端には後端が外部空間の中に位置する旋転軸がスライドできるように連結される。
【０００６】
優選的には、前記引摺機構はまたサポートバネを含み、前記昇降ブロックの一端には第一電磁石が固定的に設けられ、前記移動ブロックの中には移動溝が設けられ、前記移動溝の中には梯形ロッドがスライドできるように連結され、前記梯形ロッドの一端には第二電磁ブロックが固定的に設置され、前記梯形ロッドのもう一端には移動バネが固定的に設けられ、前記移動バネの一端が前記移動溝の端壁と固定的に連結され、前記移動ブロックの中には前記移動溝を貫通し、且つ前記昇降チャンバと連通する移動穴が設けられ、前記移動穴の中には上端が前記昇降チャンバの中に位置する梯形ブロックが設けられ、前記梯形ブロックの上端には移動板が固定的に設置され、前記移動板の下端面には下端が前記移動ブロックと固定的に連結される前記サポートバネが固定的に設置され、
前記リフトブロックの中にはスライドチャンバが設けられ、前記スライドチャンバの上端壁には下に開口したバネチャンバが設けられ、前記バネチャンバの片側端壁には連結バネが固定的に設置され、前記連結バネの一端にはバネブロックが固定的に設置され、前記バネブロックの下端において前記スライドチャンバの中にはスライドブロックが固定的に設置され、前記スライドブロックの一端にはロープが固定的に設置され、前記ロープの一端が前記バネ溝の片側端壁を貫通し、且つ前記ロックブロックと固定的に連結され、前記リフトブロックの下端面には一端が前記昇降チャンバの中に位置するサポート板が固定的に設置され、前記リフトチャンバの片側端壁には電磁板が固定的に設置される。
【０００７】
優選的には、前記押圧機構はまたハンドルを含み、前記旋転軸の後端と前記回転軸の前端にはいずれも前記ハンドルが固定的に設置され、前記昇降チャンバにおける前記回転軸の前端には前記回転軸に貫通されるロック軸がスライドできるように連結され、前記ロック軸には旋転歯車が固定的に設置され、前記旋転歯車の上端には回転歯車が噛み合って連結され、前記回転歯車の中心には前端が外部空間の中に位置する駆動軸が固定的に設置され、前記回転軸と、前記旋転軸の前端と前記ロック軸の後端にはプッシュロッドが固定的に設置される。
【発明の効果】
【０００８】
本発明の有益効果は：本装置は構造が簡単で、操作が便利で、ドアロックの作動に影響を及ぼさないことを前提とし、ドアロックの安全性を向上させ、錠をこじ開けずに済ませ、ロックの安全性を確保すると同時にアンロックが便利になる。
【図面の簡単な説明】
【０００９】
下記に図１〜３をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明のメカロックの全体断面正面構造略図
【図２】図２は本発明のメカロックの全体断面の左面構造略図
【図３】図２は本発明のメカロックの移動ブロックの全体断面の正面拡大構造略図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
図１〜３を参照し、本発明のメカロックは、ドア枠１とドア８を含み、前記ドア８には引摺機構４１と押圧機構４１とが設けられ、前記ドア枠１には片側に開口したロック溝４が設けられ、前記ドア８には片側に開口したバネ溝４４が設けられ、前記バネ溝４４の片側端壁には復帰バネ５が固定的に設けられ、前記復帰バネ５の一端にはロックブロック３が設けられ、前記ロックブロック３の一端が前記ロック溝４の中に位置し、前記引摺機構４１が昇降チャンバ１２を含み、前記昇降チャンバ１２の片側端壁の中にはリフトチャンバ２３が設置され、前記昇降チャンバ１２の中には昇降ブロック１３が設けられ、前記リフトチャンバ２３と前記昇降チャンバ１２とが連通し、前記昇降チャンバ１２の中には前記昇降ブロック１３の前後両側に位置する二つの移動ブロック２７が設けられ、前記昇降ブロック１３と前記移動ブロック２７の下端面にはいずれも二つの昇降バネ６が設けられ、前記昇降バネ６の下端と前記昇降チャンバ１２の端壁とが固定的に連結され、前記リフトチャンバ２３の中にはリフトブロック１８が設置され、前記押圧機構４１が回転軸３２を含み、前記昇降チャンバ１２の上端壁にはサポートロッド３３が固定的に設けられ、前記回転軸３２が前記サポートロッド３３を貫通し、且つ前端が外部空間に位置し、前記回転軸３２の後端には後端が外部空間の中に位置する旋転軸２５がスライドできるように連結される。
【００１３】
有益的には、前記引摺機構４１はまたサポートバネ３８を含み、前記昇降ブロック１３の一端には第一電磁石１４が固定的に設けられ、前記移動ブロック２７の中には移動溝２８が設けられ、前記移動溝２８の中には梯形ロッド２９がスライドできるように連結され、前記梯形ロッド２９の一端には第二電磁ブロック４０が固定的に設置され、前記梯形ロッド２９のもう一端には移動バネ３９が固定的に設けられ、前記移動バネ３９の一端が前記移動溝２８の端壁と固定的に連結され、前記移動ブロック２７の中には前記移動溝２８を貫通し、且つ前記昇降チャンバ１２と連通する移動穴３０が設けられ、前記移動穴３０の中には上端が前記昇降チャンバ１２の中に位置する梯形ブロック３７が設けられ、前記梯形ブロック３７の上端には移動板２６が固定的に設置され、前記移動板２６の下端面には下端が前記移動ブロック２７と固定的に連結される前記サポートバネ３８が固定的に設置され、
前記リフトブロック１８の中にはスライドチャンバ４６が設けられ、前記スライドチャンバ４６の上端壁には下に開口したバネチャンバ１７が設けられ、前記バネチャンバ１７の片側端壁には連結バネ１５が固定的に設置され、前記連結バネ１５の一端にはバネブロック１６が固定的に設置され、前記バネブロック１６の下端において前記スライドチャンバ４６の中にはスライドブロック１９が固定的に設置され、前記スライドブロック１９の一端にはロープ２０が固定的に設置され、前記ロープ２０の一端が前記バネ溝４４の片側端壁を貫通し、且つ前記ロックブロック３と固定的に連結され、前記リフトブロック１８の下端面には一端が前記昇降チャンバ１２の中に位置するサポート板２１が固定的に設置され、前記リフトチャンバ２３の片側端壁には電磁板２２が固定的に設置される。
【００１４】
有益的には、前記押圧機構４１はまたハンドル２４を含み、前記旋転軸２５の後端と前記回転軸３２の前端にはいずれも前記ハンドル２４が固定的に設置され、前記昇降チャンバ１２における前記回転軸３２の前端には前記回転軸３２に貫通されるロック軸４５がスライドできるように連結され、前記ロック軸４５には旋転歯車３４が固定的に設置され、前記旋転歯車３４の上端には回転歯車３５が噛み合って連結され、前記回転歯車３５の中心には前端が外部空間の中に位置する駆動軸３６が固定的に設置され、前記回転軸３２と、前記旋転軸２５の前端と前記ロック軸４５の後端にはプッシュロッド１１が固定的に設置される。
【００１５】
下記に、付図１〜３及び上記の本願発明のメカロックの具体的な構成を参照し、本願発明のメカロックの使用方法を詳しく紹介する：まず、初期状態にある時、前記連結バネ１５が引張状態にあり、他のバネがいずれも通常状態にある。
【００１６】
前記リフトブロック１８を上下に調整し、これにより前記電磁板２２の作用で相対的に固定でき、鍵で前記駆動軸３６を回し、これにより前記回転歯車３５と、前記旋転歯車３４と前記ロック軸４５を回転させ、これにより前記ロック軸４５に固定的に設置された前記プッシュロッド１１を回転させ、これにより前記移動板２６と前記梯形ブロック３７を下降させ、これにより前記移動ブロック２７を下降させ、前記移動ブロック２７が前記サポート板２１と接触する時、前記移動溝２８が前記スライドチャンバ４６と相対し、前記梯形ブロック３７が継続して下降し、前記移動ブロック２７が下降を停止し、これにより前記梯形ロッド２９が片側に向かって運動し、前記移動バネ３９が引っ張り、これにより前記第二電磁ブロック４０が前記スライドブロック１９と相対するように固定的に連結され、前記駆動軸３６が復帰して上記の運動を復帰連動させ、これにより前記梯形ロッド２９が前記移動バネ３９の作用で復帰する時、前記スライドブロック１９が連動して運動し、これによりロープ２０を引き動かし、これにより前記ロックブロック３が前記ロック溝４から離れ、前記第二電磁ブロック４０が前記移動溝２８の中まで移動し、また前記昇降バネ６を通して前記移動ブロック２７を押して復帰させるとき、前記ロックブロック３が前記復帰バネ５の作用により復帰する。
【００１７】
鍵を持ち忘れると、前記リフトブロック１８の位置を記憶することによって、前記回転軸３２を回し、これにより中間の前記プッシュロッド１１を回転させ、これにより前記昇降ブロック１３を下降連動させ、前記第一電磁石１４と前記スライドブロック１９とが相対する時、前記昇降ブロック１３を動かないまま吊り、前記第一電磁石１４の作用で、前記スライドブロック１９がおもむろに運動し、前記ロープ２０を通じて前記ロックブロック３を前記ロック溝４から離すまで前記スライドブロック１９が運動し、これにより開扉を完成し、前記回転軸３２を復帰させた後、装置がバネの作用によって復帰する。
【００１８】
本発明の有益効果は：本装置は構造が簡単で、操作が便利で、ドアロックの作動に影響を及ぼさないことを前提とし、ドアロックの安全性を向上させ、錠をこじ開けずに済ませ、ロックの安全性を確保すると同時にアンロックが便利になる。
【００１９】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【手続補正書】
【提出日】令和2年4月9日(2020.4.9)
【手続補正１】
【補正対象書類名】特許請求の範囲
【補正対象項目名】全文
【補正方法】変更
【補正の内容】
【特許請求の範囲】
【請求項１】
正面視で、ドア枠とドアを含み、前記ドアには引摺機構と押圧機構とが設けられ、前記ドア枠には片側に開口したロック溝が設けられ、前記ドアには片側に開口したバネ溝が設けられ、前記バネ溝の片側端壁には復帰バネが固定的に設けられ、前記復帰バネの一端にはロックブロックが設けられ、前記ロックブロックの一端が前記ロック溝の中に位置し、前記引摺機構が昇降チャンバを含み、前記昇降チャンバの片側端壁の中にはリフトチャンバが設置され、前記昇降チャンバの中には昇降ブロックが設けられ、前記リフトチャンバと前記昇降チャンバとが連通し、前記昇降チャンバの中には前記昇降ブロックの前後両側に位置する二つの移動ブロックが設けられ、前記昇降ブロックと前記移動ブロックの下端面にはいずれも二つの昇降バネが設けられ、前記昇降バネの下端と前記昇降チャンバの端壁とが固定的に連結され、前記リフトチャンバの中にはリフトブロックが設置され、前記押圧機構が回転軸を含み、前記昇降チャンバの上端壁にはサポートロッドが固定的に設けられ、前記回転軸が前記サポートロッドを貫通し、且つ前端が外部空間に位置し、前記回転軸の後端には後端が外部空間の中に位置する旋転軸がスライドできるように連結され、
前記引摺機構はまたサポートバネを含み、前記昇降ブロックの一端には第一電磁石１４が固定的に設けられ、前記第一電磁石は前記スライドブロックと互いに吸引又は反発することができ、前記移動ブロックの中には移動溝が設けられ、前記移動溝の中には梯形ロッドがスライドできるように連結され、前記梯形ロッドの一端には第二電磁ブロック４０が固定的に設置され、前記第二電磁ブロックは前記スライドブロックと互いに吸引又は反発することができ、前記梯形ロッドのもう一端には移動バネが固定的に設けられ、前記移動バネの一端が前記移動溝の端壁と固定的に連結され、前記移動ブロックの中には前記移動溝を貫通し、且つ前記昇降チャンバと連通する移動穴が設けられ、前記移動穴の中には上端が前記昇降チャンバの中に位置する梯形ブロックが設けられ、前記梯形ブロックの上端には移動板が固定的に設置され、前記移動板の下端面には下端が前記移動ブロックと固定的に連結される前記サポートバネが固定的に設置され、
前記リフトブロックの中にはスライドチャンバが設けられ、前記スライドチャンバの上端壁には下に開口したバネチャンバが設けられ、前記バネチャンバの片側端壁には連結バネが固定的に設置され、前記連結バネの一端にはバネブロックが固定的に設置され、前記バネブロックの下端において前記スライドチャンバの中にはスライドブロックが固定的に設置され、前記スライドブロックの一端にはロープが固定的に設置され、前記ロープの一端が前記バネ溝の片側端壁を貫通し、且つ前記ロックブロックと固定的に連結され、前記リフトブロックの下端面には一端が前記昇降チャンバの中に位置するサポート板が固定的に設置され、前記リフトチャンバの片側端壁には電磁板が固定的に設置され、前記電磁板は前記リフトブロックを上下に調整でき、
前記押圧機構はまたハンドルを含み、前記旋転軸の後端と前記回転軸の前端にはいずれも前記ハンドルが固定的に設置され、前記昇降チャンバにおける前記回転軸の前端には前記回転軸に貫通されるロック軸がスライドできるように連結され、前記ロック軸には旋転歯車が固定的に設置され、前記旋転歯車の上端には回転歯車が噛み合って連結され、前記回転歯車の中心には前端が外部空間の中に位置する駆動軸が固定的に設置され、前記回転軸と、前記旋転軸の前端と前記ロック軸の後端にはプッシュロッドが固定的に設置され、前記プッシュロッドは前記移動ブロック又は前記昇降ブロックを下方へ押し動かすことができることを特徴とするメカロック。
【手続補正２】
【補正対象書類名】明細書
【補正対象項目名】全文
【補正方法】変更
【補正の内容】
【発明の詳細な説明】
【技術分野】
【０００１】
本発明はロック工具に関し、具体的にはメカロックである。
【背景技術】
【０００２】
現在に、家庭安全のための防御ラインの第一線として、ドアロックはかなり重視を受けており、しかし、鍵を落としてしまうと、家に入れない面倒な状況になり、その対策として、大多数の人が直接にドアロックを破壊する方法を選び、ドアロックだけでなく、ドア自体にもダメージをもたらし、損傷程度を高める。
【先行技術文献】
【特許文献】
【０００３】
【特許文献１】中国特許出願公開第１０５１７８７３２号明細書
【発明の概要】
【発明が解決しようとする課題】
【０００４】
本発明の目的はメカロックを提供し、それは上記の現在の技術中の問題を解決できる。
【課題を解決するための手段】
【０００５】
上記の課題を解決するため、本発明は以下の技術プランを採用する：ドア枠とドアを含み、前記ドアには引摺機構と押圧機構とが設けられ、前記ドア枠には片側に開口したロック溝が設けられ、前記ドアには片側に開口したバネ溝が設けられ、前記バネ溝の片側端壁には復帰バネが固定的に設けられ、前記復帰バネの一端にはロックブロックが設けられ、前記ロックブロックの一端が前記ロック溝の中に位置し、前記引摺機構が昇降チャンバを含み、前記昇降チャンバの片側端壁の中にはリフトチャンバが設置され、前記昇降チャンバの中には昇降ブロックが設けられ、前記リフトチャンバと前記昇降チャンバとが連通し、前記昇降チャンバの中には前記昇降ブロックの前後両側に位置する二つの移動ブロックが設けられ、前記昇降ブロックと前記移動ブロックの下端面にはいずれも二つの昇降バネが設けられ、前記昇降バネの下端と前記昇降チャンバの端壁とが固定的に連結され、前記リフトチャンバの中にはリフトブロックが設置され、前記押圧機構が回転軸を含み、前記昇降チャンバの上端壁にはサポートロッドが固定的に設けられ、前記回転軸が前記サポートロッドを貫通し、且つ前端が外部空間に位置し、前記回転軸の後端には後端が外部空間の中に位置する旋転軸がスライドできるように連結される。
【０００６】
優選的には、前記引摺機構はまたサポートバネを含み、前記昇降ブロックの一端には第一電磁石１４が固定的に設けられ、前記第一電磁石は前記スライドブロックと互いに吸引又は反発することができ、前記移動ブロックの中には移動溝が設けられ、前記移動溝の中には梯形ロッドがスライドできるように連結され、前記梯形ロッドの一端には第二電磁ブロック４０が固定的に設置され、前記第二電磁ブロックは前記スライドブロックと互いに吸引又は反発することができ、前記梯形ロッドのもう一端には移動バネが固定的に設けられ、前記移動バネの一端が前記移動溝の端壁と固定的に連結され、前記移動ブロックの中には前記移動溝を貫通し、且つ前記昇降チャンバと連通する移動穴が設けられ、前記移動穴の中には上端が前記昇降チャンバの中に位置する梯形ブロックが設けられ、前記梯形ブロックの上端には移動板が固定的に設置され、前記移動板の下端面には下端が前記移動ブロックと固定的に連結される前記サポートバネが固定的に設置され、
前記リフトブロックの中にはスライドチャンバが設けられ、前記スライドチャンバの上端壁には下に開口したバネチャンバが設けられ、前記バネチャンバの片側端壁には連結バネが固定的に設置され、前記連結バネの一端にはバネブロックが固定的に設置され、前記バネブロックの下端において前記スライドチャンバの中にはスライドブロックが固定的に設置され、前記スライドブロックの一端にはロープが固定的に設置され、前記ロープの一端が前記バネ溝の片側端壁を貫通し、且つ前記ロックブロックと固定的に連結され、前記リフトブロックの下端面には一端が前記昇降チャンバの中に位置するサポート板が固定的に設置され、前記リフトチャンバの片側端壁には電磁板が固定的に設置され、前記電磁板は前記リフトブロックを上下に調整できる。
【０００７】
優選的には、前記押圧機構はまたハンドルを含み、前記旋転軸の後端と前記回転軸の前端にはいずれも前記ハンドルが固定的に設置され、前記昇降チャンバにおける前記回転軸の前端には前記回転軸に貫通されるロック軸がスライドできるように連結され、前記ロック軸には旋転歯車が固定的に設置され、前記旋転歯車の上端には回転歯車が噛み合って連結され、前記回転歯車の中心には前端が外部空間の中に位置する駆動軸が固定的に設置され、前記回転軸と、前記旋転軸の前端と前記ロック軸の後端にはプッシュロッドが固定的に設置され、前記プッシュロッドは前記移動ブロック又は前記昇降ブロックを下方へ押し動かすことができる。
【発明の効果】
【０００８】
本発明の有益効果は：本装置は構造が簡単で、操作が便利で、ドアロックの作動に影響を及ぼさないことを前提とし、ドアロックの安全性を向上させ、錠をこじ開けずに済ませ、ロックの安全性を確保すると同時にアンロックが便利になる。
【図面の簡単な説明】
【０００９】
下記に図１〜３をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明のメカロックの全体断面正面構造略図
【図２】図２は本発明のメカロックの全体断面の左面構造略図
【図３】図２は本発明のメカロックの移動ブロックの全体断面の正面拡大構造略図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
図１〜３を参照し、本発明のメカロックは、ドア枠１とドア８を含み、前記ドア８には引摺機構４１と押圧機構４２とが設けられ、前記ドア枠１には片側に開口したロック溝４が設けられ、前記ドア８には片側に開口したバネ溝４４が設けられ、前記バネ溝４４の片側端壁には復帰バネ５が固定的に設けられ、前記復帰バネ５の一端にはロックブロック３が設けられ、前記ロックブロック３の一端が前記ロック溝４の中に位置し、前記引摺機構４１が昇降チャンバ１２を含み、前記昇降チャンバ１２の片側端壁の中にはリフトチャンバ２３が設置され、前記昇降チャンバ１２の中には昇降ブロック１３が設けられ、前記リフトチャンバ２３と前記昇降チャンバ１２とが連通し、前記昇降チャンバ１２の中には前記昇降ブロック１３の前後両側に位置する二つの移動ブロック２７が設けられ、前記昇降ブロック１３と前記移動ブロック２７の下端面にはいずれも二つの昇降バネ６が設けられ、前記昇降バネ６の下端と前記昇降チャンバ１２の端壁とが固定的に連結され、前記リフトチャンバ２３の中にはリフトブロック１８が設置され、前記押圧機構４２が回転軸３２を含み、前記昇降チャンバ１２の上端壁にはサポートロッド３３が固定的に設けられ、前記回転軸３２が前記サポートロッド３３を貫通し、且つ前端が外部空間に位置し、前記回転軸３２の後端には後端が外部空間の中に位置する旋転軸２５がスライドできるように連結される。
【００１３】
有益的には、前記引摺機構４１はまたサポートバネ３８を含み、前記昇降ブロック１３の一端には第一電磁石１４が固定的に設けられ、前記第一電磁石１４は前記スライドブロック１９と互いに吸引又は反発することができ、前記移動ブロック２７の中には移動溝２８が設けられ、前記移動溝２８の中には梯形ロッド２９がスライドできるように連結され、前記梯形ロッド２９の一端には第二電磁ブロック４０が固定的に設置され、前記第二電磁ブロック４０は前記スライドブロック１９と互いに吸引又は反発することができ、前記梯形ロッド２９のもう一端には移動バネ３９が固定的に設けられ、前記移動バネ３９の一端が前記移動溝２８の端壁と固定的に連結され、前記移動ブロック２７の中には前記移動溝２８を貫通し、且つ前記昇降チャンバ１２と連通する移動穴３０が設けられ、前記移動穴３０の中には上端が前記昇降チャンバ１２の中に位置する梯形ブロック３７が設けられ、前記梯形ブロック３７の上端には移動板２６が固定的に設置され、前記移動板２６の下端面には下端が前記移動ブロック２７と固定的に連結される前記サポートバネ３８が固定的に設置され、
前記リフトブロック１８の中にはスライドチャンバ４６が設けられ、前記スライドチャンバ４６の上端壁には下に開口したバネチャンバ１７が設けられ、前記バネチャンバ１７の片側端壁には連結バネ１５が固定的に設置され、前記連結バネ１５の一端にはバネブロック１６が固定的に設置され、前記バネブロック１６の下端において前記スライドチャンバ４６の中にはスライドブロック１９が固定的に設置され、前記スライドブロック１９の一端にはロープ２０が固定的に設置され、前記ロープ２０の一端が前記バネ溝４４の片側端壁を貫通し、且つ前記ロックブロック３と固定的に連結され、前記リフトブロック１８の下端面には一端が前記昇降チャンバ１２の中に位置するサポート板２１が固定的に設置され、前記リフトチャンバ２３の片側端壁には電磁板２２が固定的に設置され、前記電磁板２２は前記リフトブロック１８を上下に調整できる。
【００１４】
有益的には、前記押圧機構４２はまたハンドル２４を含み、前記旋転軸２５の後端と前記回転軸３２の前端にはいずれも前記ハンドル２４が固定的に設置され、前記昇降チャンバ１２における前記回転軸３２の前端には前記回転軸３２に貫通されるロック軸４５がスライドできるように連結され、前記ロック軸４５には旋転歯車３４が固定的に設置され、前記旋転歯車３４の上端には回転歯車３５が噛み合って連結され、前記回転歯車３５の中心には前端が外部空間の中に位置する駆動軸３６が固定的に設置され、前記回転軸３２と、前記旋転軸２５の前端と前記ロック軸４５の後端にはプッシュロッド１１が固定的に設置され、前記プッシュロッド１１は前記移動ブロック２７又は前記昇降ブロック１３を下方へ押し動かすことができる。
【００１５】
下記に、付図１〜３及び上記の本願発明のメカロックの具体的な構成を参照し、本願発明のメカロックの使用方法を詳しく紹介する：まず、初期状態にある時、前記連結バネ１５が引張状態にあり、他のバネがいずれも通常状態にある。
【００１６】
前記リフトブロック１８を上下に調整し、これにより前記電磁板２２の作用で相対的に固定でき、鍵で前記駆動軸３６を回し、これにより前記回転歯車３５と、前記旋転歯車３４と前記ロック軸４５を回転させ、これにより前記ロック軸４５に固定的に設置された前記プッシュロッド１１を回転させ、これにより前記移動板２６と前記梯形ブロック３７を下降させ、これにより前記移動ブロック２７を下降させ、前記移動ブロック２７が前記サポート板２１と接触する時、前記移動溝２８が前記スライドチャンバ４６と相対し、前記梯形ブロック３７が継続して下降し、前記移動ブロック２７が下降を停止し、これにより前記梯形ロッド２９が片側に向かって運動し、前記移動バネ３９が引っ張り、これにより前記第二電磁ブロック４０が前記スライドブロック１９と相対するように固定的に連結され、前記駆動軸３６が復帰して上記の運動を復帰連動させ、これにより前記梯形ロッド２９が前記移動バネ３９の作用で復帰する時、前記スライドブロック１９が連動して運動し、これによりロープ２０を引き動かし、これにより前記ロックブロック３が前記ロック溝４から離れ、前記第二電磁ブロック４０が前記移動溝２８の中まで移動し、また前記昇降バネ６を通して前記移動ブロック２７を押して復帰させるとき、前記ロックブロック３が前記復帰バネ５の作用により復帰する。
【００１７】
鍵を持ち忘れると、前記リフトブロック１８の位置を記憶することによって、前記回転軸３２を回し、これにより中間の前記プッシュロッド１１を回転させ、これにより前記昇降ブロック１３を下降連動させ、前記第一電磁石１４と前記スライドブロック１９とが相対する時、前記昇降ブロック１３を動かないまま吊り、前記第一電磁石１４の作用で、前記スライドブロック１９がおもむろに運動し、前記ロープ２０を通じて前記ロックブロック３を前記ロック溝４から離すまで前記スライドブロック１９が運動し、これにより開扉を完成し、前記回転軸３２を復帰させた後、装置がバネの作用によって復帰する。
【００１８】
本発明の有益効果は：本装置は構造が簡単で、操作が便利で、ドアロックの作動に影響を及ぼさないことを前提とし、ドアロックの安全性を向上させ、錠をこじ開けずに済ませ、ロックの安全性を確保すると同時にアンロックが便利になる。
【００１９】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【手続補正書】
【提出日】令和2年6月5日(2020.6.5)
【手続補正１】
【補正対象書類名】特許請求の範囲
【補正対象項目名】全文
【補正方法】変更
【補正の内容】
【特許請求の範囲】
【請求項１】
正面視で、ドア枠とドアを含み、前記ドアには引摺機構と押圧機構とが設けられ、前記ドア枠には片側に開口したロック溝が設けられ、前記ドアには片側に開口したバネ溝が設けられ、前記バネ溝の片側端壁には復帰バネが固定的に設けられ、前記復帰バネの一端にはロックブロックが設けられ、前記ロックブロックの一端が前記ロック溝の中に位置し、前記引摺機構が昇降チャンバを含み、前記昇降チャンバの片側端壁の中にはリフトチャンバが設置され、前記昇降チャンバの中には昇降ブロックが設けられ、前記リフトチャンバと前記昇降チャンバとが連通し、前記昇降チャンバの中には前記昇降ブロックの前後両側に位置する二つの移動ブロックが設けられ、前記昇降ブロックと前記移動ブロックの下端面にはいずれも二つの昇降バネが設けられ、前記昇降バネの下端と前記昇降チャンバの端壁とが固定的に連結され、前記リフトチャンバの中にはリフトブロックが設置され、前記押圧機構が回転軸を含み、前記昇降チャンバの上端壁にはサポートロッドが固定的に設けられ、前記回転軸が前記サポートロッドを貫通し、且つ前端が外部空間に位置し、前記回転軸の後端には後端が外部空間の中に位置する旋転軸がスライドできるように連結され、
前記引摺機構はまたサポートバネを含み、前記昇降ブロックの一端には第一電磁石１４が固定的に設けられ、前記移動ブロックの中には移動溝が設けられ、前記移動溝の中には梯形ロッドがスライドできるように連結され、前記梯形ロッドの一端には第二電磁ブロック４０が固定的に設置され、前記梯形ロッドのもう一端には移動バネが固定的に設けられ、前記移動バネの一端が前記移動溝の端壁と固定的に連結され、前記移動ブロックの中には前記移動溝を貫通し、且つ前記昇降チャンバと連通する移動穴が設けられ、前記移動穴の中には上端が前記昇降チャンバの中に位置する梯形ブロックが設けられ、前記梯形ブロックの上端には移動板が固定的に設置され、前記移動板の下端面には下端が前記移動ブロックと固定的に連結される前記サポートバネが固定的に設置され、
前記リフトブロックの中にはスライドチャンバが設けられ、前記スライドチャンバの上端壁には下に開口したバネチャンバが設けられ、前記バネチャンバの片側端壁には連結バネが固定的に設置され、前記連結バネの一端にはバネブロックが固定的に設置され、前記バネブロックの下端において前記スライドチャンバの中にはスライドブロックが固定的に設置され、前記第一電磁石は前記スライドブロックと互いに吸引又は反発することができ、前記第二電磁ブロックは前記スライドブロックと互いに吸引又は反発することができ、前記スライドブロックの一端にはロープが固定的に設置され、前記ロープの一端が前記バネ溝の片側端壁を貫通し、且つ前記ロックブロックと固定的に連結され、前記リフトブロックの下端面には一端が前記昇降チャンバの中に位置するサポート板が固定的に設置され、前記リフトチャンバの片側端壁には電磁板が固定的に設置され、前記電磁板は前記リフトブロックを上下に調整でき、
前記押圧機構はまたハンドルを含み、前記旋転軸の後端と前記回転軸の前端にはいずれも前記ハンドルが固定的に設置され、前記昇降チャンバにおける前記回転軸の前端には前記回転軸に貫通されるロック軸がスライドできるように連結され、前記ロック軸には旋転歯車が固定的に設置され、前記旋転歯車の上端には回転歯車が噛み合って連結され、前記回転歯車の中心には前端が外部空間の中に位置する駆動軸が固定的に設置され、前記回転軸と、前記旋転軸の前端と前記ロック軸の後端にはプッシュロッドが固定的に設置され、前記プッシュロッドは前記移動ブロック又は前記昇降ブロックを下方へ押し動かすことができることを特徴とするメカロック。
【手続補正２】
【補正対象書類名】明細書
【補正対象項目名】全文
【補正方法】変更
【補正の内容】
【発明の詳細な説明】
【技術分野】
【０００１】
本発明はロック工具に関し、具体的にはメカロックである。
【背景技術】
【０００２】
現在に、家庭安全のための防御ラインの第一線として、ドアロックはかなり重視を受けており、しかし、鍵を落としてしまうと、家に入れない面倒な状況になり、その対策として、大多数の人が直接にドアロックを破壊する方法を選び、ドアロックだけでなく、ドア自体にもダメージをもたらし、損傷程度を高める。
【先行技術文献】
【特許文献】
【０００３】
【特許文献１】中国特許出願公開第１０５１７８７３２号明細書
【発明の概要】
【発明が解決しようとする課題】
【０００４】
本発明の目的はメカロックを提供し、それは上記の現在の技術中の問題を解決できる。
【課題を解決するための手段】
【０００５】
上記の課題を解決するため、本発明は以下の技術プランを採用する：ドア枠とドアを含み、前記ドアには引摺機構と押圧機構とが設けられ、前記ドア枠には片側に開口したロック溝が設けられ、前記ドアには片側に開口したバネ溝が設けられ、前記バネ溝の片側端壁には復帰バネが固定的に設けられ、前記復帰バネの一端にはロックブロックが設けられ、前記ロックブロックの一端が前記ロック溝の中に位置し、前記引摺機構が昇降チャンバを含み、前記昇降チャンバの片側端壁の中にはリフトチャンバが設置され、前記昇降チャンバの中には昇降ブロックが設けられ、前記リフトチャンバと前記昇降チャンバとが連通し、前記昇降チャンバの中には前記昇降ブロックの前後両側に位置する二つの移動ブロックが設けられ、前記昇降ブロックと前記移動ブロックの下端面にはいずれも二つの昇降バネが設けられ、前記昇降バネの下端と前記昇降チャンバの端壁とが固定的に連結され、前記リフトチャンバの中にはリフトブロックが設置され、前記押圧機構が回転軸を含み、前記昇降チャンバの上端壁にはサポートロッドが固定的に設けられ、前記回転軸が前記サポートロッドを貫通し、且つ前端が外部空間に位置し、前記回転軸の後端には後端が外部空間の中に位置する旋転軸がスライドできるように連結される。
【０００６】
優選的には、前記引摺機構はまたサポートバネを含み、前記昇降ブロックの一端には第一電磁石１４が固定的に設けられ、前記移動ブロックの中には移動溝が設けられ、前記移動溝の中には梯形ロッドがスライドできるように連結され、前記梯形ロッドの一端には第二電磁ブロック４０が固定的に設置され、前記梯形ロッドのもう一端には移動バネが固定的に設けられ、前記移動バネの一端が前記移動溝の端壁と固定的に連結され、前記移動ブロックの中には前記移動溝を貫通し、且つ前記昇降チャンバと連通する移動穴が設けられ、前記移動穴の中には上端が前記昇降チャンバの中に位置する梯形ブロックが設けられ、前記梯形ブロックの上端には移動板が固定的に設置され、前記移動板の下端面には下端が前記移動ブロックと固定的に連結される前記サポートバネが固定的に設置され、
前記リフトブロックの中にはスライドチャンバが設けられ、前記スライドチャンバの上端壁には下に開口したバネチャンバが設けられ、前記バネチャンバの片側端壁には連結バネが固定的に設置され、前記連結バネの一端にはバネブロックが固定的に設置され、前記バネブロックの下端において前記スライドチャンバの中にはスライドブロックが固定的に設置され、前記第一電磁石は前記スライドブロックと互いに吸引又は反発することができ、前記第二電磁ブロックは前記スライドブロックと互いに吸引又は反発することができ、前記スライドブロックの一端にはロープが固定的に設置され、前記ロープの一端が前記バネ溝の片側端壁を貫通し、且つ前記ロックブロックと固定的に連結され、前記リフトブロックの下端面には一端が前記昇降チャンバの中に位置するサポート板が固定的に設置され、前記リフトチャンバの片側端壁には電磁板が固定的に設置され、前記電磁板は前記リフトブロックを上下に調整できる。
【０００７】
優選的には、前記押圧機構はまたハンドルを含み、前記旋転軸の後端と前記回転軸の前端にはいずれも前記ハンドルが固定的に設置され、前記昇降チャンバにおける前記回転軸の前端には前記回転軸に貫通されるロック軸がスライドできるように連結され、前記ロック軸には旋転歯車が固定的に設置され、前記旋転歯車の上端には回転歯車が噛み合って連結され、前記回転歯車の中心には前端が外部空間の中に位置する駆動軸が固定的に設置され、前記回転軸と、前記旋転軸の前端と前記ロック軸の後端にはプッシュロッドが固定的に設置され、前記プッシュロッドは前記移動ブロック又は前記昇降ブロックを下方へ押し動かすことができる。
【発明の効果】
【０００８】
本発明の有益効果は：本装置は構造が簡単で、操作が便利で、ドアロックの作動に影響を及ぼさないことを前提とし、ドアロックの安全性を向上させ、錠をこじ開けずに済ませ、ロックの安全性を確保すると同時にアンロックが便利になる。
【図面の簡単な説明】
【０００９】
下記に図１〜３をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明のメカロックの全体断面正面構造略図
【図２】図２は本発明のメカロックの全体断面の左面構造略図
【図３】図２は本発明のメカロックの移動ブロックの全体断面の正面拡大構造略図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
図１〜３を参照し、本発明のメカロックは、ドア枠１とドア８を含み、前記ドア８には引摺機構４１と押圧機構４２とが設けられ、前記ドア枠１には片側に開口したロック溝４が設けられ、前記ドア８には片側に開口したバネ溝４４が設けられ、前記バネ溝４４の片側端壁には復帰バネ５が固定的に設けられ、前記復帰バネ５の一端にはロックブロック３が設けられ、前記ロックブロック３の一端が前記ロック溝４の中に位置し、前記引摺機構４１が昇降チャンバ１２を含み、前記昇降チャンバ１２の片側端壁の中にはリフトチャンバ２３が設置され、前記昇降チャンバ１２の中には昇降ブロック１３が設けられ、前記リフトチャンバ２３と前記昇降チャンバ１２とが連通し、前記昇降チャンバ１２の中には前記昇降ブロック１３の前後両側に位置する二つの移動ブロック２７が設けられ、前記昇降ブロック１３と前記移動ブロック２７の下端面にはいずれも二つの昇降バネ６が設けられ、前記昇降バネ６の下端と前記昇降チャンバ１２の端壁とが固定的に連結され、前記リフトチャンバ２３の中にはリフトブロック１８が設置され、前記押圧機構４２が回転軸３２を含み、前記昇降チャンバ１２の上端壁にはサポートロッド３３が固定的に設けられ、前記回転軸３２が前記サポートロッド３３を貫通し、且つ前端が外部空間に位置し、前記回転軸３２の後端には後端が外部空間の中に位置する旋転軸２５がスライドできるように連結される。
【００１３】
有益的には、前記引摺機構４１はまたサポートバネ３８を含み、前記昇降ブロック１３の一端には第一電磁石１４が固定的に設けられ、前記移動ブロック２７の中には移動溝２８が設けられ、前記移動溝２８の中には梯形ロッド２９がスライドできるように連結され、前記梯形ロッド２９の一端には第二電磁ブロック４０が固定的に設置され、前記梯形ロッド２９のもう一端には移動バネ３９が固定的に設けられ、前記移動バネ３９の一端が前記移動溝２８の端壁と固定的に連結され、前記移動ブロック２７の中には前記移動溝２８を貫通し、且つ前記昇降チャンバ１２と連通する移動穴３０が設けられ、前記移動穴３０の中には上端が前記昇降チャンバ１２の中に位置する梯形ブロック３７が設けられ、前記梯形ブロック３７の上端には移動板２６が固定的に設置され、前記移動板２６の下端面には下端が前記移動ブロック２７と固定的に連結される前記サポートバネ３８が固定的に設置され、
前記リフトブロック１８の中にはスライドチャンバ４６が設けられ、前記スライドチャンバ４６の上端壁には下に開口したバネチャンバ１７が設けられ、前記バネチャンバ１７の片側端壁には連結バネ１５が固定的に設置され、前記連結バネ１５の一端にはバネブロック１６が固定的に設置され、前記バネブロック１６の下端において前記スライドチャンバ４６の中にはスライドブロック１９が固定的に設置され、前記第一電磁石１４は前記スライドブロック１９と互いに吸引又は反発することができ、前記第二電磁ブロック４０は前記スライドブロック１９と互いに吸引又は反発することができ、前記スライドブロック１９の一端にはロープ２０が固定的に設置され、前記ロープ２０の一端が前記バネ溝４４の片側端壁を貫通し、且つ前記ロックブロック３と固定的に連結され、前記リフトブロック１８の下端面には一端が前記昇降チャンバ１２の中に位置するサポート板２１が固定的に設置され、前記リフトチャンバ２３の片側端壁には電磁板２２が固定的に設置され、前記電磁板２２は前記リフトブロック１８を上下に調整できる。
【００１４】
有益的には、前記押圧機構４２はまたハンドル２４を含み、前記旋転軸２５の後端と前記回転軸３２の前端にはいずれも前記ハンドル２４が固定的に設置され、前記昇降チャンバ１２における前記回転軸３２の前端には前記回転軸３２に貫通されるロック軸４５がスライドできるように連結され、前記ロック軸４５には旋転歯車３４が固定的に設置され、前記旋転歯車３４の上端には回転歯車３５が噛み合って連結され、前記回転歯車３５の中心には前端が外部空間の中に位置する駆動軸３６が固定的に設置され、前記回転軸３２と、前記旋転軸２５の前端と前記ロック軸４５の後端にはプッシュロッド１１が固定的に設置され、前記プッシュロッド１１は前記移動ブロック２７又は前記昇降ブロック１３を下方へ押し動かすことができる。
【００１５】
下記に、付図１〜３及び上記の本願発明のメカロックの具体的な構成を参照し、本願発明のメカロックの使用方法を詳しく紹介する：まず、初期状態にある時、前記連結バネ１５が引張状態にあり、他のバネがいずれも通常状態にある。
【００１６】
前記リフトブロック１８を上下に調整し、これにより前記電磁板２２の作用で相対的に固定でき、鍵で前記駆動軸３６を回し、これにより前記回転歯車３５と、前記旋転歯車３４と前記ロック軸４５を回転させ、これにより前記ロック軸４５に固定的に設置された前記プッシュロッド１１を回転させ、これにより前記移動板２６と前記梯形ブロック３７を下降させ、これにより前記移動ブロック２７を下降させ、前記移動ブロック２７が前記サポート板２１と接触する時、前記移動溝２８が前記スライドチャンバ４６と相対し、前記梯形ブロック３７が継続して下降し、前記移動ブロック２７が下降を停止し、これにより前記梯形ロッド２９が片側に向かって運動し、前記移動バネ３９が引っ張り、これにより前記第二電磁ブロック４０が前記スライドブロック１９と相対するように固定的に連結され、前記駆動軸３６が復帰して上記の運動を復帰連動させ、これにより前記梯形ロッド２９が前記移動バネ３９の作用で復帰する時、前記スライドブロック１９が連動して運動し、これによりロープ２０を引き動かし、これにより前記ロックブロック３が前記ロック溝４から離れ、前記第二電磁ブロック４０が前記移動溝２８の中まで移動し、また前記昇降バネ６を通して前記移動ブロック２７を押して復帰させるとき、前記ロックブロック３が前記復帰バネ５の作用により復帰する。
【００１７】
鍵を持ち忘れると、前記リフトブロック１８の位置を記憶することによって、前記回転軸３２を回し、これにより中間の前記プッシュロッド１１を回転させ、これにより前記昇降ブロック１３を下降連動させ、前記第一電磁石１４と前記スライドブロック１９とが相対する時、前記昇降ブロック１３を動かないまま吊り、前記第一電磁石１４の作用で、前記スライドブロック１９がおもむろに運動し、前記ロープ２０を通じて前記ロックブロック３を前記ロック溝４から離すまで前記スライドブロック１９が運動し、これにより開扉を完成し、前記回転軸３２を復帰させた後、装置がバネの作用によって復帰する。
【００１８】
本発明の有益効果は：本装置は構造が簡単で、操作が便利で、ドアロックの作動に影響を及ぼさないことを前提とし、ドアロックの安全性を向上させ、錠をこじ開けずに済ませ、ロックの安全性を確保すると同時にアンロックが便利になる。
【００１９】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。